(57)【要約】【課題】非基準温度のとき、ソース高電圧とソース低電圧とが、中心電圧について上下対称の関係にならなかった。【解決手段】第１のオペアンプを用いて、非基準温度時ソース高電圧を生成し、第２のオペアンプを用いて、基準温度時ソース高電圧及び基準温度時ソース低電圧間の差である第１の差電圧の２分の１に相当する第２の差電圧から前記第２の温度変動電圧差だけ上昇し又は下降した第３の差電圧を生成し、前記非基準温度時ソース高電圧から前記第３の差電圧の２倍に相当する第４の差電圧を減算することにより、基準温度時ソース中心電圧について前記非基準温度時ソース高電圧と対称関係にあるべき非基準温度時ソース低電圧を生成する。【選択図】図５
2008096700.tif 000002
【特許請求の範囲】
【請求項１】
雰囲気温度が基準温度と異なる非基準温度であるときの電圧生成方法であって、
前記雰囲気温度が前記非基準温度であることに起因する第１の温度変動電圧差を生起する第１のオペアンプを用いて、ドレイン電極が液晶の一端に接続されている薄膜トランジスタのソース電極への印加により前記液晶の一端に印加すべき、前記雰囲気温度が前記基準温度であるときにおける、高い方の電圧である基準温度時ソース高電圧及び低い方の電圧である基準温度時ソース低電圧のうちの前記基準温度時ソース高電圧から前記第１の温度変動電圧差だけ上昇し又は下降した非基準温度時ソース高電圧を生成する第１の生成工程と、
前記雰囲気温度が前記非基準温度であることに起因し、前記第１のオペアンプの前記第１の温度変動電圧差と実質的に同一である第２の温度変動電圧差を生起する第２のオペアンプを用いて、前記基準温度時ソース高電圧及び前記基準温度時ソース低電圧間の差である第１の差電圧の２分の１に相当する第２の差電圧から前記第２の温度変動電圧差だけ上昇し又は下降した第３の差電圧を生成する第２の生成工程と、
前記非基準温度時ソース高電圧から前記第３の差電圧の２倍に相当する第４の差電圧を減算することにより、前記基準温度時ソース高電圧及び前記基準温度時ソース低電圧間の中心である基準温度時ソース中心電圧について前記非基準温度時ソース高電圧と対称関係にあるべき非基準温度時ソース低電圧を生成する第３の生成工程とを含むことを特徴とする電圧生成方法。
【請求項２】
雰囲気温度が基準温度と異なる非基準温度であるときの電圧生成装置であって、
前記雰囲気温度が前記非基準温度であることに起因する第１の温度変動電圧差を生起する第１のオペアンプを用いて、ドレイン電極が液晶の一端に接続されている薄膜トランジスタのソース電極への印加により前記液晶の一端に印加すべき、前記雰囲気温度が前記基準温度であるときにおける、高い方の電圧である基準温度時ソース高電圧及び低い方の電圧である基準温度時ソース低電圧のうちの前記基準温度時ソース高電圧から前記第１の温度変動電圧差だけ上昇し又は下降した非基準温度時ソース高電圧を生成する第１の生成部と、
前記雰囲気温度が前記非基準温度であることに起因し、前記第１のオペアンプの前記第１の温度変動電圧差と実質的に同一である第２の温度変動電圧差を生起する第２のオペアンプを用いて、前記基準温度時ソース高電圧及び前記基準温度時ソース低電圧間の差である第１の差電圧の２分の１に相当する第２の差電圧から前記第２の温度変動電圧差だけ上昇し又は下降した第３の差電圧を生成する第２の生成部と、
前記非基準温度時ソース高電圧から前記第３の差電圧の２倍に相当する第４の差電圧を減算することにより、前記基準温度時ソース高電圧及び前記基準温度時ソース低電圧間の中心である基準温度時ソース中心電圧について前記非基準温度時ソース高電圧と対称関係にあるべき非基準温度時ソース低電圧を生成する第３の生成部とを含むことを特徴とする電圧生成装置。
【請求項３】
雰囲気温度が基準温度と異なる非基準温度であるときの電圧生成方法であって、
前記雰囲気温度が前記非基準温度であることに起因する第１の温度変動電圧差を生起する第１のオペアンプを用いて、前記雰囲気温度が前記基準温度であるときにおける、高い方の電圧である基準温度時高電圧及び低い方の電圧である基準温度時低電圧のうちの前記基準温度時高電圧から前記第１の温度変動電圧差だけ上昇し又は下降した非基準温度時高電圧を生成する第１の生成工程と、
前記雰囲気温度が前記非基準温度であることに起因し、前記第１のオペアンプの前記第１の温度変動電圧差と実質的に同一である第２の温度変動電圧差を生起する第２のオペアンプを用いて、前記基準温度時高電圧及び前記基準温度時低電圧間の差である第１の差電圧の２分の１に相当する第２の差電圧から前記第２の温度変動電圧差だけ上昇し又は下降した第３の差電圧を生成する第２の生成工程と、
前記非基準温度時高電圧から前記第３の差電圧の２倍に相当する第４の差電圧を減算することにより、前記基準温度時高電圧及び前記基準温度時低電圧間の中心である基準温度時中心電圧について前記非基準温度時高電圧と対称関係にあるべき非基準温度時低電圧を生成する第３の生成工程とを含むことを特徴とする電圧生成方法。
【請求項４】
雰囲気温度が基準温度と異なる非基準温度であるときの電圧生成装置であって、
前記雰囲気温度が前記非基準温度であることに起因する第１の温度変動電圧差を生起する第１のオペアンプを用いて、前記雰囲気温度が前記基準温度であるときにおける、高い方の電圧である基準温度時高電圧及び低い方の電圧である基準温度時低電圧のうちの前記基準温度時高電圧から前記第１の温度変動電圧差だけ上昇し又は下降した非基準温度時高電圧を生成する第１の生成部と、
前記雰囲気温度が前記非基準温度であることに起因し、前記第１のオペアンプの前記第１の温度変動電圧差と実質的に同一である第２の温度変動電圧差を生起する第２のオペアンプを用いて、前記基準温度時高電圧及び前記基準温度時低電圧間の差である第１の差電圧の２分の１に相当する第２の差電圧から前記第２の温度変動電圧差だけ上昇し又は下降した第３の差電圧を生成する第２の生成部と、
前記非基準温度時高電圧から前記第３の差電圧の２倍に相当する第４の差電圧を減算することにより、前記基準温度時高電圧及び前記基準温度時低電圧間の中心である基準温度時中心電圧について前記非基準温度時高電圧と対称関係にあるべき非基準温度時低電圧を生成する第３の生成部とを含むことを特徴とする電圧生成装置。
【発明の詳細な説明】
【技術分野】
【０００１】
本発明は、液晶を駆動するためのソース電圧のような電圧を生成する電圧生成方法及び当該電圧生成方法を用いた電圧生成装置に関する。
【背景技術】
【０００２】
従来、薄膜トランジスタのドレイン電極に接続された液晶を駆動すべく、薄膜トランジスタのソース電極にソース電圧を印加することにより、薄膜トランジスタのドレイン電極を介して液晶にソース電圧を印加すべく、当該ソース電圧を生成する。
【０００３】
上記ソース電圧は、詳しくは、薄膜トランジスタ及び液晶が置かれた雰囲気の温度（雰囲気温度）が基準温度（例えば、室温）であるときのソース電圧Ｖｓは、下記の非特許文献１及び図７に示されるように、高い方の電圧であるソース高電圧ＶｓＨ及び低い方の電圧であるソース低電圧ＶｓＬからなり、当該ソース高電圧ＶｓＨ及び当該ソース低電圧ＶｓＬは、液晶の特性の劣化を防止する観点から、予め定められた固定電圧であるソース中心電圧ＶｓＣを中心（中心線）として上下対称の関係にあることを要する。
【０００４】
そこで、従来の電圧生成方法では、図８に示されるように、２つのオペアンプＯＰ１００、ＯＰ１０１（ボルテージフォロワ）の出力間に複数の抵抗器Ｒ１００〜Ｒ１０５を直列接続することにより、４．０Ｖ、１．０Ｖを入力されたオペアンプＯＰ１００、ＯＰ１０１が出力する４．０Ｖ、１．０Ｖの両電圧を抵抗分圧することによって、４．０Ｖ、３．５Ｖ、３．０Ｖ、．．．、１．５Ｖ、１．０Ｖを生成する。ここで、例えば、前記ソース中心電圧ＶｓＣが２．５Ｖであることを想定すると、図９（Ａ）に示されるように、ソース高電圧ＶｓＨとして、例えば、３．５Ｖを用い、また、ソース低電圧ＶｓＬとして、１．５Ｖを用いる。
【０００５】
【非特許文献１】液晶ディスプレイ工学入門（鈴木八十二著、日刊工業新聞社）
【発明の開示】
【発明が解決しようとする課題】
【０００６】
しかしながら、雰囲気温度が基準温度と異なる非基準温度であるとき、従来の電圧生成方法では、上記した２つのオペアンプＯＰ１００、１０１が有する温度変動特性（温度が基準温度でないことに起因して本来の電圧と異なる電圧を出力するという特性）のために、例えば、オペアンプＯＰ１００は、４．０Ｖに代えて４．３Ｖを出力し、同様にして、オペアンプＯＰ１０１は、１．０Ｖに代えて１．３Ｖを出力する。これにより、図９（Ｂ）に示されるように、非基準温度のときのソース高電圧ＶｓＨ’は、３．５Ｖでなく３．８Ｖとなり、同様にして、非基準温度のときのソース低電圧ＶｓＬ’は、１．５Ｖではなく１．８Ｖとなる。この結果、３．８Ｖのソース高電圧ＶｓＨ’と１．８Ｖのソース低電圧ＶｓＬ’とが、上記した２．５Ｖのソース中心電圧ＶｓＣについて上下対称の関係にならないという問題があった。
【課題を解決するための手段】
【０００７】
本発明に係る第１の電圧生成方法及び第１の電圧生成装置は、上記した課題を解決すべく、基本的に、
雰囲気温度が基準温度と異なる非基準温度であるときに、
前記雰囲気温度が前記非基準温度であることに起因する第１の温度変動電圧差を生起する第１のオペアンプを用いて、ドレイン電極が液晶の一端に接続されている薄膜トランジスタのソース電極への印加により前記液晶の一端に印加すべき、前記雰囲気温度が前記基準温度であるときにおける、高い方の電圧である基準温度時ソース高電圧及び低い方の電圧である基準温度時ソース低電圧のうちの前記基準温度時ソース高電圧から前記第１の温度変動電圧差だけ上昇し又は下降した非基準温度時ソース高電圧を生成し、
前記雰囲気温度が前記非基準温度であることに起因し、前記第１のオペアンプの前記第１の温度変動電圧差と実質的に同一である第２の温度変動電圧差を生起する第２のオペアンプを用いて、前記基準温度時ソース高電圧及び前記基準温度時ソース低電圧間の差である第１の差電圧の２分の１に相当する第２の差電圧から前記第２の温度変動電圧差だけ上昇し又は下降した第３の差電圧を生成し、
前記非基準温度時ソース高電圧から前記第３の差電圧の２倍に相当する第４の差電圧を減算することにより、前記基準温度時ソース高電圧及び前記基準温度時ソース低電圧間の中心である基準温度時ソース中心電圧について前記非基準温度時ソース高電圧と対称の関係にあるべき非基準温度時ソース低電圧を生成する。
【０００８】
上記した本発明に係る第１の電圧生成方法及び第１の電圧生成装置によれば、前記基準温度時高電圧から前記第１の温度変動電圧差だけ上昇し又は下降した前記非基準温度時ソース高電圧から、前記基準温度時ソース高電圧及び前記基準温度時ソース低電圧間の差である第１の差電圧の２分の１に相当する第２の差電圧から前記第１の温度変動電圧差と実質的に同一である前記第２の温度変動電圧差だけ上昇し又は下降した第３の差電圧の２倍に相当する第４の差電圧、換言すれば、前記基準温度時ソース高電圧及び前記基準温度時ソース低電圧間の差電圧から前記第２の温度変動電圧差の２倍相当だけ上昇し又は下降した第４の差電圧を減算することにより前記非基準温度時ソース低電圧を生成することにより、当該非基準温度時ソース低電圧を、前記基準温度時ソース低電圧から前記第２の温度変動電圧差、即ち、前記第１の温度変動電圧差だけ下降させ又は上昇させる。これにより、当該非基準温度時ソース低電圧と、上記した非基準温度時ソース高電圧とを、前記基準温度時ソース高電圧及び前記基準温度時ソース低電圧間の中心である基準温度時ソース中心電圧について、上下対称の関係にさせることができる。
【０００９】
本発明に係る第２の電圧生成方法及び第２の電圧生成装置は、上記した課題を解決すべく、基本的に、
雰囲気温度が基準温度と異なる非基準温度であるときに、
前記雰囲気温度が前記非基準温度であることに起因する第１の温度変動電圧差を生起する第１のオペアンプを用いて、前記雰囲気温度が前記基準温度であるときにおける、高い方の電圧である基準温度時高電圧及び低い方の電圧である基準温度時低電圧のうちの前記基準温度時高電圧から前記第１の温度変動電圧差だけ上昇し又は下降した非基準温度時高電圧を生成し、
前記雰囲気温度が前記非基準温度であることに起因し、前記第１のオペアンプの前記第１の温度変動電圧差と実質的に同一である第２の温度変動電圧差を生起する第２のオペアンプを用いて、前記基準温度時高電圧及び前記基準温度時低電圧間の差である第１の差電圧の２分の１に相当する第２の差電圧から前記第２の温度変動電圧差だけ上昇し又は下降した第３の差電圧を生成し、
前記非基準温度時高電圧から前記第３の差電圧の２倍に相当する第４の差電圧を減算することにより、前記基準温度時高電圧及び前記基準温度時低電圧間の中心である基準温度時中心電圧について前記非基準温度時高電圧と対称関係にあるべき非基準温度時低電圧を生成する。
【発明を実施するための最良の形態】
【００１０】
本発明に係る電圧生成装置の実施例について図面を参照して説明する。
【００１１】
図１は、実施例の電圧生成装置と液晶表示装置との関係を示す。実施例の電圧生成装置ＶＧＤは、雰囲気温度が基準温度（例えば、室温）であるか、当該基準温度と異なる非基準温度であるかに拘わらず、図１に示されるように、液晶表示装置ＬＤＤに当該液晶表示装置ＬＤＤを駆動するためのソース電圧Ｖｓを与えるべく、当該ソース電圧Ｖｓを生成することを企図する。電圧生成装置ＶＧＤの説明及び理解を容易にすべく、電圧生成装置ＶＧＤの説明に先立ち、液晶表示装置ＬＤＤについて説明する。
【００１２】
図２は、実施例の液晶表示装置の構成を示す。液晶表示装置ＬＤＤは、従来知られているように、相互に交差する、複数のソース線ＳＬ１、ＳＬ２、ＳＬ３、．．．と、複数のゲート線ＧＬ１、ＧＬ２、ＧＬ３、．．．とを含み、例えば、ソース線ＳＬ１とゲート線ＧＬ１とが交差する位置に、薄膜トランジスタＴＲ１１と、液晶ＬＣＤ１１と、保持容量Ｃｓ１１とが設けられている。より詳しくは、薄膜トランジスタＴＲ１１のソース電極Ｓとソース線ＳＬ１とが接続されており、薄膜トランジスタＴＲ１１のドレイン電極Ｄと液晶ＬＣＤ１１の一端（一）とが接続されている。本来的には、電圧生成装置ＶＧＤにより生成されたソース電圧Ｖｓがソース線ＳＬ１に印加されると、当該ソース電圧Ｖｓは、薄膜トランジスタＴＲ１１を介して、液晶ＬＣＤ１１の前記一端（一）に、そのまま、印加される。他方で、液晶ＬＣＤ１１の他端（他）には、従来知られたように、コモン電圧Ｖｃが印加される。
【００１３】
なお、前記薄膜トランジスタＴＲ１１のゲートと、前記ゲート線ＧＬ１とが接続されており、また、前記保持容量Ｃｓ１１は、前記液晶ＬＣＤ１１に並列接続されている。
【００１４】
図３は、実施例のソース電圧とコモン電圧との関係を示す。液晶ＬＣＤ１１の一端（一）には、本来、ソース電圧Ｖｓが、そのまま、印加されるべきである。しかし、薄膜トランジスタＴＲ１１のゲート電極Ｇ及びドレイン電極Ｄ間に存在する浮遊容量Ｃｇｄ１１のために、ゲート電極Ｇ及びドレイン電極Ｄ間で電圧降下ΔＶ（電圧差ΔＶ）が生じ、それにより、液晶ＬＣＤ１１の一端（一）には、ソース電圧Ｖｓより電圧差ΔＶだけ小さいソース電圧Ｖｓ（ｄｒｏｐ）が印加される。液晶ＬＣＤ１１は、本来、液晶ＬＣＤ１１の一端（一）に印加される電圧と、液晶ＬＣＤ１１の他端（他）に印加される電圧とが対照であることを要することから、上記したような、液晶ＬＣＤ１１の一端（一）にソース電圧Ｖｓより電圧差ΔＶだけ小さいソース電圧Ｖｓ（ｄｒｏｐ）が印加されることに対処すべく、前記液晶ＬＣＤ１１の他端（他）に、コモン電圧Ｖｃより前記電圧差ΔＶだけ小さいコモン電圧Ｖｃ（ｄｒｏｐ）を印加する。
【００１５】
図４は、実施例のソース電圧の構成を示す。図２に図示のソース線ＳＬ１、ＳＬ２、ＳＬ３、．．．に本来的に印加すべきソース電圧Ｖｓは、高い方の電圧であるソース高電圧ＶｓＨと、低い方の電圧であるソース低電圧ＶｓＬとからなり、しかも、上記したソース電圧Ｖｓ（ｄｒｏｐ）と上記したコモン電圧Ｖｃ（ｄｒｏｐ）との関係が崩れることに起因して液晶ＬＣＤ１１に当該液晶ＬＣＤ１１の特性を劣化させてしまうという事態を回避すべく、前記ソース高電圧ＶｓＨと前記ソース低電圧ＶｓＬとの中心に位置するソース中心電圧ＶｓＣは、不動である必要がある。換言すれば、固定電圧であるソース中心電圧ＶｓＣについて、前記ソース高電圧ＶｓＨ及び前記ソース低電圧ＶｓＬは、上下対称の関係にあることを要する。
【００１６】
しかし、後述されるように、電圧生成装置ＶＧＤが、温度変動特性、即ち、雰囲気温度が基準温度であるときには、ソース電圧Ｖｓをそのままの大きさで、即ち、基準温度時ソース電圧Ｖｓ（ｒｅｆ）で生成することができるものの、雰囲気温度が非基準温度であるときには、ソース電圧Ｖｓをそのまま生成することができず、前記ソース電圧Ｖｓに当該基準温度と当該非基準温度との温度差に起因する電圧差Ｖｏｆｆが加減された非基準温度時ソース電圧Ｖｓ（ｖａｒ）を生成する。
【００１７】
前記非基準温度時ソース電圧Ｖｓ（ｖａｒ）が、図４に示されるように、高い方の電圧である非基準温度時ソース高電圧ＶｓＨ（ｖａｒ）と低い方の電圧である非基準温度時ソース低電圧ＶｓＬ（ｖａｒ）から構成されることを想定すると、非基準温度時ソース高電圧ＶｓＨ（ｖａｒ）及び非基準温度時ソース低電圧ＶｓＬ（ｖａｒ）間の中心電圧が、上記したソース中心電圧ＶｓＣ、即ち、基準温度時ソース高電圧ＶｓＨ（ｒｅｆ）及び基準温度時ソース低電圧ＶｓＬ（ｒｅｆ）間の中心電圧ＶｓＣと一致する必要があり、換言すれば、ソース中心電圧ＶｓＣについて、非基準温度時ソース高電圧ＶｓＨ（ｖａｒ）と非基準温度時ソース低電圧ＶｓＬ（ｖａｒ）とが、上下対称の関係にあることを要する。
【００１８】
図５は、実施例の電圧生成装置の構成を示す。実施例の電圧生成装置ＶＧＤは、図５に示されるように、オペアンプＯＰ１、ＯＰ２、ＯＰ３と、抵抗器Ｒ１、Ｒ２、Ｒ３、Ｒ４とを含む。以下の説明では、説明及び理解の容易化のために、オペアンプＯＰ３の温度変動特性を無視する。
【００１９】
『第１の生成部』であるオペアンプＯＰ１は、ボルテージフォロワを構成しており、予め明確である基準温度時ソース高電圧ＶｓＨ（ｒｅｆ）と予め明確である基準温度時ソース低電圧ＶｓＬ（ｒｅｆ）との差の２分の１、即ち、電圧（ＶｓＨ（ｒｅｆ）−ＶｓＬ（ｒｅｆ））／２が前段の回路（図示せず。）から入力され、雰囲気温度が基準温度であるときには、当該入力された電圧（ＶｓＨ（ｒｅｆ）−ＶｓＬ（ｒｅｆ））／２をそのまま出力し、他方で、雰囲気温度が非基準温度であるときには、（ＶｓＨ（ｒｅｆ）−ＶｓＬ（ｒｅｆ））／２に代えて、オペアンプＯＰ１の前記温度変動特性に起因する、予知不可能な大きさのオフセット電圧Ｖｏｆｆが重畳された電圧（（ＶｓＨ（ｒｅｆ）−ＶｓＬ（ｒｅｆ））／２＋Ｖｏｆｆ）を出力する。
【００２０】
『第２の生成部』であるオペアンプＯＰ２は、オペアンプＯＰ１と同様な温度変動特性を有し、また、上記したオペアンプＯＰ１と同様に、ボルテージフォロワを構成している。オペアンプＯＰ２は、予め明確である基準温度時ソース高電圧ＶｓＨ（ｒｅｆ）が入力され、雰囲気温度が基準温度であるときには、当該基準温度時ソース高電圧ＶｓＨ（ｒｅｆ）をそのまま出力し、他方で、雰囲気温度が非基準温度であるときには、基準温度時ソース高電圧ＶｓＨ（ｒｅｆ）に代えて、オフセット電圧Ｖｏｆｆが重畳された電圧（ＶｓＨ（ｒｅｆ）＋Ｖｏｆｆ）である非基準温度時ソース高電圧ＶｓＨ（ｖａｒ）を出力する。
【００２１】
『第３の生成部』であるオペアンプＯＰ３は、抵抗器Ｒ１〜Ｒ４と協働して減算回路を構成しており、雰囲気温度が基準温度であるときには、オペアンプＯＰ２からの基準温度時ソース高電圧ＶｓＨ（ｒｅｆ）から、オペアンプＯＰ１からの電圧（ＶｓＨ（ｒｅｆ）−ＶｓＬ（ｒｅｆ））／２の２倍に相当する電圧、即ち、電圧（ＶｓＨ（ｒｅｆ）−ＶｓＬ（ｒｅｆ））を減算することにより、基準温度時ソース低電圧ＶｓＬ（ｒｅｆ）を生成すべきである。
【００２２】
しかしながら、オペアンプＯＰ３は、雰囲気温度が非基準温度であるときには、オペアンプＯＰ２から出力される非基準温度時ソース高電圧ＶｓＨ（ｖａｒ）から、オペアンプＯＰ１から出力される（ＶｓＨ（ｖａｒ）−ＶｓＬ（ｖａｒ））／２の２倍に相当する電圧{２＊（（ＶｓＨ（ｒｅｆ）−ＶｓＬ（ｒｅｆ））／２＋Ｖｏｆｆ）}を減算することにより、即ち、{ＶｓＨ（ｒｅｆ）＋Ｖｏｆｆ}−２＊{（ＶｓＨ（ｒｅｆ）−ＶｓＬ（ｒｅｆ））／２＋Ｖｏｆｆ}を行うことにより、電圧（ＶｓＬ（ｒｅｆ）−Ｖｏｆｆ））である非基準温度時ソース低電圧ＶｓＬ（ｖａｒ）を生成する。
【００２３】
上記したように、電圧生成装置ＶＧＤは、雰囲気温度が非基準温度であるとき、（ＶｓＬ（ｒｅｆ）−Ｖｏｆｆ））の大きさである非基準温度時ソース低電圧ＶｓＬ（ｖａｒ）を生成することから、非基準温度時ソース高電圧ＶｓＨ（ｖａｒ）及び非基準温度時ソース低電圧ＶｓＬ（ｖａｒ）は、図６に示されるように、基準温度時ソース中心電圧ＶｓＣ（ｒｅｆ）について上下対称の関係になることができる。
【００２４】
《変形例》
上記したような、非基準温度時ソース高電圧ＶｓＨ（ｖａｒ）が、基準温度時ソース高電圧ＶｓＨ（ｒｅｆ）よりもオフセット電圧Ｖｏｆｆだけ上昇することに代えて、オフセット電圧Ｖｏｆｆだけ下降するときであっても、上記したと同様にして上記の効果を得ることができる。
【図面の簡単な説明】
【００２５】
【図１】実施例の電圧生成装置と液晶表示装置との関係を示す図。
【図２】実施例の液晶表示装置の構成を示す図。
【図３】実施例のソース電圧とコモン電圧との関係を示す図。
【図４】実施例のソース電圧の構成を示す図。
【図５】実施例の電圧生成装置の構成を示す図。
【図６】実施例の電圧生成装置の構成を示す図。
【図７】従来のソース電圧を示す図。
【図８】従来の電圧生成装置の構成を示す図。
【図９】基準温度及び非基準温度のときの従来のソース電圧を示す図。
【符号の説明】
【００２６】
ＶＧＤ…電圧生成装置、ＯＰ１〜ＯＰ３…オペアンプ、Ｒ１〜Ｒ４…抵抗器。
【図１】
2008096700.tif 000003
【図２】
2008096700.tif 000004
【図３】
2008096700.tif 000005
【図４】
2008096700.tif 000006
【図５】
2008096700.tif 000007
【図６】
2008096700.tif 000008
【図７】
2008096700.tif 000009
【図８】
2008096700.tif 000010
【図９】
2008096700.tif 000011